(57)【要約】      （修正有）【課題】依頼者の所望するデータをより効率よく取得しうるデータ提供サーバ、データ提供システム、データ提供方法及びコンピュータプログラムを提供する。【解決手段】データ提供システム１０におけるデータ提供サーバ２００は、１以上の提供者端末３００から取得された依頼者の所望するデータを依頼者端末１００に提供する。データ提供サーバは、提供者端末から、位置情報を含む提供者情報を取得し、管理するためのユーザ情報管理部２１２と、依頼者端末から、地理的情報を含む案件情報を取得するための案件情報管理部２１４と、提供者情報に含まれる位置情報と案件情報に含まれる地理的情報とに基づいて、１以上の提供者を検索するための提供者検索部２２０と、検索された１以上の提供者から、依頼者が所望するデータを含む案件報告情報を取得する案件報告情報管理部２１６と、を備える。【選択図】図１
2020205020.tif 000002
【特許請求の範囲】
【請求項１】
１以上の提供者端末から取得された依頼者の所望するデータを依頼者端末に提供するためのデータ提供サーバであって、
前記提供者端末から、位置情報を含む提供者情報を取得し、管理するための提供者情報管理手段と、
前記依頼者端末から、地理的情報を含む案件情報を取得するための案件情報取得手段と、
前記提供者情報に含まれる前記位置情報と前記案件情報に含まれる前記地理的情報とに基づいて、１以上の提供者を検索するための提供者検索手段と、
検索された前記１以上の提供者から、前記依頼者が所望するデータを含む案件報告情報を取得する案件報告情報取得手段と、
を備える、データ提供サーバ。
【請求項２】
前記提供者検索手段は、検索した結果、該当する提供者が検索されなかった場合に、条件の異なる再検索処理を実行する機能を有することを特徴とする、請求項１に記載のデータ提供サーバ。
【請求項３】
前記提供者検索手段において実行される前記再検索処理は、
前記提供者端末で予め取得されているナビ情報を提供者の位置情報として取得し、前記ナビ情報と前記案件情報に含まれる前記地理的情報とに基づいて、１以上の提供者を検索するための処理である、請求項２に記載のデータ提供サーバ。
【請求項４】
前記提供者検索手段において実行される前記再検索処理は、過去の提供者の案件報告情報に含まれる地理的情報を提供者の位置情報として取得し、前記案件報告情報に含まれる地理的情報と前記案件情報に含まれる前記地理的情報とに基づいて、１以上の提供者を検索するための処理である、請求項２または請求項３に記載のデータ提供サーバ。
【請求項５】
前記提供者検索手段において実行される前記再検索処理は、前記１以上の提供者端末に対して一斉に前記案件情報を通知する処理である、請求項２ないし請求項４のいずれかに記載のデータ提供サーバ。
【請求項６】
前記位置情報は、前記提供者端末から所定のサンプリングタイムで取得されるか、または予め登録されていること、を特徴とする、請求項１ないし請求項５のいずれかに記載のデータ提供サーバ。
【請求項７】
前記位置情報について、所在地住所に変換するために、１以上のサードパーティの逆ジオコーディングを利用することを特徴とする、請求項１ないし請求項６のいずれかに記載のデータ提供サーバ。
【請求項８】
前記データは、画像データである、請求項１ないし請求項９のいずれかに記載のデータ提供サーバ。
【請求項９】
データ提供サーバと、依頼者が案件情報を前記データ提供サーバに送信するための依頼者端末と、依頼者が所望するデータを取得し、前記データを前記データ提供サーバに送信するための１以上の提供者端末とがネットワークを介して接続されるデータ提供システムであって、
前記提供者端末は、
前記データを取得するためのデータ取得手段と、
前記データを含む案件報告情報を前記データ提供サーバに送信するためのデータ送信手段と、
を備え、
前記データ提供サーバは、
前記提供者端末から、位置情報を含む提供者情報を取得するための提供者情報管理手段と、
前記依頼者端末から、地理的情報を含む案件情報を取得するための案件情報取得手段と、
前記提供者情報に含まれる前記位置情報と前記案件情報に含まれる前記地理的情報とに基づいて、１以上の提供者を検索するための提供者検索手段と、
検索された前記１以上の前記提供者端末から送信される前記案件報告情報を取得する案件報告情報取得手段と、
を備え、
前記取得された案件報告情報が前記依頼者端末に送信される、データ提供システム。
【請求項１０】
前記提供者検索手段は、検索した結果、該当する提供者が検索されなかった場合、再検索処理を実行する機能を有することを特徴とする、請求項９に記載のデータ提供システム。
【請求項１１】
前記位置情報は、前記提供者端末から所定のサンプリングタイムで取得されるか、または予め登録されていること、を特徴とする、請求項９または請求項１０に記載のデータ提供システム。
【請求項１２】
前記位置情報について、所在地住所に変換するために、１以上のサードパーティの逆ジオコーディングサービスを利用することを特徴とする、請求項９ないし請求項１１のいずれかに記載のデータ提供システム。
【請求項１３】
前記データは、画像データである、請求項９ないし請求項１２のいずれかに記載のデータ提供システム。
【請求項１４】
データ提供サーバが、１以上の提供者端末から取得された依頼者の所望するデータを依頼者端末に提供すためのデータ提供方法であって、
提供者情報管理手段が、前記提供者端末から、位置情報を含む提供者情報を取得するステップと、
案件情報取得手段が、前記依頼者端末から、地理的情報を含む案件情報を取得するステップと、
提供者検索手段が、提供者情報に含まれる位置情報と前記案件情報に含まれる前記地理的情報とに基づいて、１以上の提供者を検索するステップと、
案件報告情報取得手段が、検索された前記１以上の提供者から、前記依頼者が所望するデータを含む案件報告情報を取得するステップと、
を備える、データ提供方法。
【請求項１５】
１以上の提供者を検索するステップにおいて、前記提供者検索手段により検された結果、該当する提供者が検索されなかった場合、再検索処理を実行するステップを含む、請求項１４に記載のデータ提供方法。
【請求項１６】
前記位置情報は、前記提供者端末から所定のサンプリングタイムで取得されるか、または予め登録されていること、を特徴とする、請求項１４または請求項１５に記載のデータ提供方法。
【請求項１７】
前記位置情報について、所在地住所に変換するために、１以上のサードパーティの逆ジオコーディングサービスを利用することを特徴とする、請求項１４ないし請求項１６のいずれかに記載のデータ提供方法。
【請求項１８】
コンピュータプログラムがコンピュータで実行されるときに、請求項１４ないし請求項１７に記載の方法を実行するためのプログラムコードを有する、コンピュータプログラム。
【発明の詳細な説明】
【技術分野】
【０００１】  本発明は、データ提供サーバ、データ提供システム、データ提供方法、およびそのコンピュータプログラムに関し、特に画像データを提供するためのデータ提供サーバ、データ提供システム、データ提供方法、およびコンピュータプログラムに関する。
【背景技術】
【０００２】  依頼者が所望する遠隔地に存在するデータ、例えば、音声データや画像データを取得するために、本人がその場所にいくのには、手間と時間がかかる。そのため、そのような問題を解決するために、特許文献１に記載されるようなデジタルデータの仲介システムが提案されている。そして、このようなデジタルデータの仲介システムでは、（ａ）速報型、（ｂ）予約型、（ｃ）過去型の３つのパターンの仲介システムが提案されている。【０００３】  「（ａ）速報型」では、撮影依頼者からの撮影依頼に応じて撮影者がリアルタイムに撮影を行い、撮影された映像がすみやかに依頼者に提供される速報型映像仲介サービスである。この速報型映像仲介サービスの手順は、「（１）撮影者が現在いる位置の情報を公開する。（２）撮影依頼者が撮影者を決定する。（３）撮影依頼者および撮影者間で契約する。（４）撮影者が撮影する。（５）撮影した映像を撮影者から撮影依頼者に受け渡す。」、により行われる。【０００４】  「（ｂ）予約型」では、撮影依頼者があらかじめ撮影依頼をしておき、撮影者が撮影依頼に応じて撮影を行い、撮影された映像が依頼者に提供される予約型映像仲介サービスである。この予約型映像仲介サービスの手順は、「（１）撮影依頼者が撮影依頼ポイントの情報を公開する。（２）撮影者が撮影依頼者を決定する。（３）撮影者および撮影依頼者間で契約する。（４）撮影者が撮影する。（５）撮影した映像を撮影者から撮影依頼者に受け渡す。」、により行われる。【０００５】  「（ｃ）過去型」では、撮影依頼者が訪れている場所で過去に撮影された映像を、当該映像の撮影者から撮影依頼者に提供する過去型映像仲介サービスである。過去型映像仲介サービスの手順は、「（１）撮影者がある撮影位置で撮影する。（２）撮影者が撮影した映像を撮影位置情報とともに登録する。（３）撮影依頼者が自己の位置情報と一致する映像を決定する。（４）撮影依頼者および撮影者間で契約する。（５）映像を撮影者から撮影依頼者に受け渡す。」、により行われる。
【先行技術文献】
【特許文献】
【０００６】
【特許文献１】特開２００８−２１７８３１号公報
【発明の概要】
【発明が解決しようとする課題】
【０００７】  しかしながら、特許文献１に記載の「（ａ）速報型」、「（ｂ）予約型」、「（ｃ）過去型」のいずれも、契約後、撮影者により撮影が開始されることとなり、希望の画像が得られなかった場合に、契約解除することとなり手間が煩雑になる。また、複数の撮影者の画像から選択するものではないので、画像の選択の余地が狭くなる。さらに、撮影者の対象が１対１の関係であるため、多くの依頼の機会が限定される可能性がある。「（ｃ）過去型」では、依頼者が、あらかじめ被写体が存在する場所に行く必要がある。【０００８】  それゆえに、この発明の主たる目的は、依頼者の所望するデータをより効率よく取得しうるデータ提供サーバおよびデータ提供システムを提供することである。
【課題を解決するための手段】
【０００９】  この発明にかかるデータ提供サーバは、１以上の提供者端末から取得された依頼者の所望するデータを依頼者端末に提供するためのデータ提供サーバであって、提供者端末から、位置情報を含む提供者情報を取得し、管理するための提供者情報管理手段と、依頼者端末から、地理的情報を含む案件情報を取得するための案件情報取得手段と、提供者情報に含まれる位置情報と案件情報に含まれる地理的情報とに基づいて、１以上の提供者を検索するための提供者検索手段と、検索された１以上の提供者から、依頼者が所望するデータを含む案件報告情報を取得する案件報告情報取得手段と、を備える、データ提供サーバである。
また、この発明にかかるデータ提供サーバは、提供者検索手段が検索した結果、該当する提供者が検索されなかった場合に、条件の異なる再検索処理を実行する機能を有することが好ましい。
さらに、この発明にかかるデータ提供サーバは、提供者検索手段において実行される再検索処理が、提供者端末で予め取得されているナビ情報を提供者の位置情報として取得し、ナビ情報と案件情報に含まれる地理的情報とに基づいて、１以上の提供者を検索するための処理であることが好ましい。
さらに、この発明にかかるデータ提供サーバは、提供者検索手段において実行される再検索処理が、過去の提供者の案件報告情報に含まれる地理的情報を提供者の位置情報として取得し、案件報告情報に含まれる地理的情報と案件情報に含まれる地理的情報とに基づいて、１以上の提供者を検索するための処理であることが好ましい。
また、この発明にかかるデータ提供サーバは、提供者検索手段において実行される再検索処理が、１以上の提供者端末に対して一斉に案件情報を通知する処理であることが好ましい。
さらに、この発明にかかるデータ提供サーバは、位置情報が、提供者端末から所定のサンプリングタイムで取得されるか、または予め登録されていることが好ましい。
また、この発明にかかるデータ提供サーバは、位置情報について、所在地住所に変換するために、１以上のサードパーティの逆ジオコーディングを利用することが好ましい。
さらにまた、この発明にかかるデータ提供サーバは、データは、画像データであることが好ましい。
この発明にかかるデータ提供システムは、データ提供サーバと、依頼者が案件情報をデータ提供サーバに送信するための依頼者端末と、依頼者が所望するデータを取得し、データをデータ提供サーバに送信するための１以上の提供者端末とがネットワークを介して接続されるデータ提供システムであって、提供者端末は、データを取得するためのデータ取得手段と、データを含む案件報告情報をデータ提供サーバに送信するためのデータ送信手段と、を備え、データ提供サーバは、提供者端末から、位置情報を含む提供者情報を取得するための提供者情報管理手段と、依頼者端末から、地理的情報を含む案件情報を取得するための案件情報取得手段と、提供者情報に含まれる位置情報と案件情報に含まれる地理的情報とに基づいて、１以上の提供者を検索するための提供者検索手段と、検索された１以上の提供者端末から送信される案件報告情報を取得する案件報告情報取得手段と、を備え、取得された案件報告情報が依頼者端末に送信される、データ提供システムである。
この発明にかかるデータ提供方法は、データ提供サーバが、１以上の提供者端末から取得された依頼者の所望するデータを依頼者端末に提供すためのデータ提供方法であって、  提供者情報管理手段が、提供者端末から、位置情報を含む提供者情報を取得するステップと、案件情報取得手段が、依頼者端末から、地理的情報を含む案件情報を取得するステップと、提供者検索手段が、提供者情報に含まれる位置情報と案件情報に含まれる地理的情報とに基づいて、１以上の提供者を検索するステップと、案件報告情報取得手段が、検索された１以上の提供者から、依頼者が所望するデータを含む案件報告情報を取得するステップと、を備える、データ提供方法である。
この発明にかかるコンピュータプログラムは、コンピュータプログラムがコンピュータで実行されるときに、本発明のデータ提供方法を実行するためのプログラムコードを有する、コンピュータプログラムである。【００１０】  この発明にかかるデータ提供サーバによれば、提供者端末から、位置情報を含む提供者情報を取得し、管理するための提供者情報管理手段と、依頼者端末から、地理的情報を含む案件情報を取得するための案件情報取得手段と、提供者情報に含まれる位置情報と案件情報に含まれる地理的情報とに基づいて、１以上の提供者を検索するための提供者検索手段と、検索された１以上の提供者から、依頼者が所望するデータを含む案件報告情報を取得する案件報告情報取得手段と、を備えるので、依頼者の所望する遠隔地等に存在するデータ等を、効率よく取得することができる。
また、この発明にかかるデータ提供サーバは、提供者検索手段が検索した結果、該当する提供者が検索されたかった場合に、条件の異なる再検索処理を実行する機能を有すると、提供者を検索する機会が増加することから、依頼者が所望するデータをより効率よく取得することができる。
さらに、この発明にかかるデータ提供サーバは、位置情報が、提供者端末から所定のサンプリングタイムで取得されるか、または予め登録されているかを選択することができると、提供者の現在位置が知られたくない場合にも、本データ提供サーバを利用して、依頼者の所望するデータの提供に貢献することができる。
また、この発明にかかるデータ提供サーバは、位置情報について、所在地住所に変換するために、１以上のサードパーティの逆ジオコーディングを利用すると、本データ提供サーバに逆ジオコーディングサービスを備えていなくても、外部の逆ジオコーディングサービスを利用することで、より精度の良い所在地住所のデータを利用することができる。
【発明の効果】
【００１１】  この発明によれば、依頼者の所望するデータをより効率よく取得しうるデータ提供サーバおよびデータ提供システムを提供することができる。【００１２】  この発明の上述の目的、その他の目的、特徴および利点は、図面を参照して行う以下の発明を実施するための形態の説明から一層明らかとなろう。
【図面の簡単な説明】
【００１３】
【図１】この発明にかかるデータ提供システムにおける一実施の形態の構成例を示す図解図である。
【図２】ユーザ情報のデータ構造の構成例を示す。
【図３】案件情報のデータ構造の構成例を示す。
【図４】案件報告情報のデータ構造の構成例を示す。
【図５】この発明にかかるデータ提供システムにおける動作処理を説明するフローチャートであり、初期フローの処理を示す。
【図６】この発明にかかるデータ提供システムにおける動作処理を説明するフローチャートであり、ユーザ登録処理を示す。
【図７】この発明にかかるデータ提供システムにおける動作処理を説明するフローチャートであり、ログイン処理を示す。
【図８】この発明にかかるデータ提供システムにおける動作処理を説明するフローチャートであり、ポータル画面における処理を示す。
【図９】この発明にかかるデータ提供システムにおける動作処理を説明するフローチャートであり、案件登録処理を示す。
【図１０】この発明にかかるデータ提供システムにおける動作処理を説明するフローチャートであり、案件報告処理を示す。
【図１１】この発明にかかるデータ提供システムにおける動作処理を説明するフローチャートであり、案件報告後の依頼者端末による案件報告の参照処理を示す。
【図１２】この発明にかかるデータ提供システムにおける動作の流れを示すシーケンスチャートである。
【図１３】この発明にかかるデータ提供システムにおける初期画面の一例を示す。
【図１４】この発明にかかるデータ提供システムにおけるユーザ登録画面の一例を示す。
【図１５】この発明にかかるデータ提供システムにおけるポータル画面の一例を示す。
【図１６】この発明にかかるデータ提供システムにおける案件登録画面の一例を示し、（ａ）ないし（ｂ）は、そのスクロール画面である。
【図１７】この発明にかかるデータ提供システムにおける案件報告画面の一例を示し、（ａ）ないし（ｄ）は、そのスクロール画面である。
【図１８】この発明にかかるデータ提供システムにおける案件報告の参照画面の一例を示し、（ａ）ないし（ｅ）は、そのスクロール画面である。
【発明を実施するための形態】
【００１４】  図１は、本発明にかかるデータ提供システムにおける一実施の形態の構成例を示す図解図である。
データ提供システム１０は、本システムを導入することにより、依頼者が所望するデータを希望するタイミングで取得することを可能としたシステムである。
【００１５】  データ提供システム１０は、本システムを使用して案件情報を送信するための依頼者端末１００と、本システムの管理や提供者を検索処理するためのプログラム等を処理するためのデータ提供サーバ２００と、依頼者からの案件情報に基づいてデータを提供するための提供者端末３００から構成されており、ネットワークを介して、それぞれが接続されている。
【００１６】  なお、本データ提供システム１０では、依頼者および提供者それぞれの情報は区別されず、いずれも「ユーザ情報」として管理される。従って、本システムにおけるユーザとしての依頼者は、提供者になりうるし、本システムにおけるユーザとしての提供者は、依頼者になりうる。
【００１７】  依頼者端末１００は、依頼者により案件情報を送信するために利用される端末である。依頼者端末１００は、入力部１１０および表示部１２０を含む。依頼者は、依頼者端末１００の表示部１２０に対してデータ提供サーバ管理装置２００に対して、依頼者の所望するデータの提供を依頼するための案件情報の入力を、入力部１１０を用いて行う。また、依頼者は、データ提供サーバ２００より取得される情報を表示部１２０に表示することができる。データ提供サーバ２００より取得される情報は、例えば、案件情報や、後述する案件報告情報等である。データ提供サーバ２００は、複数の依頼者端末１００からの案件情報を取得する。
【００１８】  依頼者端末１００は、さらに、インターネット等のネットワークに接続可能な通信機器（図示せず）を含み、例えば、スマートフォン等の多機能携帯端末が、主に使用される。なお、依頼者端末１００は、携帯電話もしくはスマートフォン等の携帯端末やタブレット端末により構成されてもよい。また、本発明にかかるデータ提供システム１０において、好ましくは、依頼者端末１００は複数の端末を含む。
従って、依頼者端末１００において、入力部１１０はキーボードを使用することもでき、あるいは入力部１１０と表示部１２０との機能を備えたタッチパネル等を使用することもできる。
【００１９】  データ提供サーバ２００は、データ提供システム１０において管理される依頼者や提供者の情報を管理したり、依頼者端末１００から送信される案件情報を取得し、管理したり、提供者端末３００から送信される案件報告情報を取得し、管理したりするための機能を備えるサーバである。データ提供サーバ２００は、管理部２１０、提供者検索部２２０、決算部２３０およびデータベース部２４０を含む。
また、データベース部２４０は、ユーザ情報データベース（以下、ユーザ情報ＤＢという）２４２および案件情報データベース（以下、案件情報ＤＢという）２４４を含む。
【００２０】  データ提供サーバ２００は、それぞれ中央処理手段（図示せず）を含み、サーバ内における処理を実行するためのプログラムを格納するメモリ（図示せず）および中央処理手段において各種演算処理を実行するときに使用するプログラムやデータを一時的に格納するためのＲＡＭ（図示せず）を有する。
【００２１】  管理部２１０は、データ提供サーバ２００が管理する依頼者や提供者であるユーザ情報、案件情報あるいは案件報告情報を管理するための機能を有する。管理部２１０は、さらに、ユーザ情報管理部２１２、案件情報管理部２１４および案件報告情報管理部２１６を含む。
【００２２】  ユーザ情報管理部２１２は、たとえば、依頼者端末１００や提供者端末３００から送信されるユーザ情報を取得し、データベース部２４０を構成するユーザ情報ＤＢ２４２にユーザ情報を登録したり、登録されたユーザ情報を削除したり、もしくはユーザ情報を編集・変更等をするための機能を有する。なお、上述してきたように、依頼者や提供者は、本システムのユーザである。
また、案件情報管理部２１４は、依頼者端末１００を用いて、データベース部２４０を構成する案件情報ＤＢ２４４に案件情報を登録したり、登録された案件情報を削除したり、もしくは案件情報を編集・変更等をするための機能を有する。
さらに、案件報告情報管理部２１６は、提供者端末３００を用いて、データベース部２４０を構成する案件情報ＤＢ２４４に、既に登録されている案件情報に関連付けて案件報告情報を登録したり、登録された案件報告情報を削除したり、もしくは案件報告情報を編集・変更等をするための機能を有する。
【００２３】  提供者検索部２２０は、依頼者が所望するデータの提供が可能であると判断される提供者（ユーザ情報）を検索するための機能（提供者の検索処理）を実行するためのプログラムにより構成されている。この提供者の検索処理は、依頼者端末１００から取得される案件情報に含まれる位置情報と、案件情報に含まれる地理的情報とに基づいて行われる。
【００２４】  また、提供者検索部２２０は、上述した提供者の検索処理で該当する提供者が存在しなかった場合に、提供者を検索するための条件を変えて、再度、提供者を検索するための機能（提供者の再検索処理）を実行するためのプログラムも含むように構成されている。
この提供者の再検索処理は、提供者端末３００で予め取得されているナビ情報を提供者の位置情報として取得し、ナビ情報と案件情報に含まれる地理的情報とに基づいて、１以上の提供者を検索するための処理である。
また、提供者の再検索処理は、過去の提供者の案件報告情報に含まれる地理的情報を提供者の位置情報として取得し、案件報告情報に含まれる地理的情報と案件情報に含まれる地理的情報とに基づいて、１以上の提供者を検索するための処理としてもよい。
さらに、提供者の再検索処理は、１以上の提供者端末３００に対して一斉に案件情報を通知する処理としてもよい。
【００２５】  さらに、該当する提供者が検索された場合には、その提供者が存在することを通知することができる。すなわち、提供者検索部２２０は、提供者の検索を行った結果、該当する提供者が発見された場合、依頼者端末１００に対して、提供者の候補が発見されたことを通知することができる。これにより、依頼者は、自分の依頼した案件が処理される可能性が高いことを認識することができる。
【００２６】  決算部２３０は、依頼者により提供者端末３００から提供された案件報告情報を購入された場合に行う決算処理を実行するためのプログラムにより構成されている。
案件報告情報に対して決算処理が終了する処理は、案件情報毎に案件情報ＤＢ２４４において管理される。
【００２７】  データベース部２４０は、ユーザ情報ＤＢ２４２、および案件情報ＤＢ２４４を含む。
【００２８】  ユーザ情報ＤＢ２４２は、たとえば、データ提供システムを利用するユーザの情報を格納するためのデータベースであり、依頼者や提供者の情報である。ユーザ情報は、図２に示すように、ユーザＩＤ、ユーザ名、性別、住所、電話番号、メールアドレス、決済情報等のユーザの基本的な情報（ユーザ情報）等の項目を含む。なお、ユーザ情報の項目は、任意に設定が可能である。また、ユーザ情報として、必要に応じて、そのユーザが、案件情報に含まれる位置情報に対応可能な領域を位置情報として、予め登録することができる。また、この場合、位置情報を地区情報として登録することにより、所定の範囲で登録することもできる。ユーザ情報ＤＢ２４２に保存されるユーザ情報は、ユーザ情報管理部２１２が有する、ユーザ情報を登録したり、登録されたユーザ情報を削除したり、もしくはユーザ情報を編集・変更等をするための機能により処理される。
なお、提供者の位置情報として、後述する提供者端末３００から取得される位置情報を所定のサンプリングタイムで取得することもできる。
【００２９】  また、図２に示すように、ユーザ情報の項目としては、各ユーザの評価情報も含む。評価情報は、例えば、依頼者が提供者の評価を行う情報（評価情報１）と、提供者が依頼者の評価を行う情報（評価情報２）とがある。
依頼者が提供者の評価を行う情報（評価情報１）は、実際の提供者より提供された案件報告情報の内容が依頼者の所望するデータであったかの評価や、依頼者が、提供者に対して行った注文に対応してもらえるかどうかの評価であり、たとえば、５段階評価により評価される。
一方、提供者が依頼者の評価を行う情報（評価情報２）は、依頼者として取引が成立しやすいかどうかの評価が、たとえば、５段階評価により評価される。
なお、図２では、各評価情報は、それぞれ一つしか設定されていないが、それぞれの評価情報について、複数、設定されていてもよい。
【００３０】  案件情報ＤＢ２４４は、依頼者が所望するデータに関連する情報である案件情報を格納するためのデータベースである。案件情報は、依頼者端末１００から送信され、案件情報管理部２１４を介して取得され、案件情報ＤＢ２４４に格納される。この案件情報は、図３に示すように、ユーザ（依頼者）名、地理的情報（位置情報）、依頼された時間、報酬、納期、タイトル、案件内容の説明の情報等の項目を含む。納期の情報は、たとえば、時間的に余裕があるか、あるいは、急ぐのか等のための判断に利用される。
【００３１】  また、案件情報には、提供者端末３００から送信され、案件報告管理部２１６を介して取得される案件報告情報が関連付けられるようにして、案件情報ＤＢ２４４に格納される。この案件報告情報は、図４に示すように、ユーザ（提供者）名、対象となるデータを含む。対象となるデータは、画像データ、音声データあるいは動画データ等である。各データには、ＧＰＳ情報が付加されていてもよい。それにより、その各データが、依頼者の所望する位置情報におけるデータであることを明確にすることができる。また、案件報告情報としては、案件報告情報に対する説明の情報、報告日、有効期間、地理的情報、データに対する報酬の情報、およびデータ数等の項目が含まれる。
【００３２】  提供者端末３００は、提供者により案件報告情報を送信するために利用される端末である。提供者端末１００は、入力部３１０、表示部３２０、データ取得部３３０、位置情報取得部３４０およびナビ情報取得部３５０を含む。提供者は、データ提供サーバ管理装置２００に対して送信される、依頼者の所望するデータを提供するための案件報告情報の入力を、入力部３１０を用いて行う。また、提供者は、データ提供サーバ２００より取得される情報（例えば、案件情報や、案件報告情報等）を表示部３２０に表示させることができる。従って、データ提供サーバ２００は、複数の提供者端末３００からの案件報告情報の取得を可能とする。
【００３３】  データ取得部３３０は、依頼者が所望するデータを取得するための機能を有する。データ取得部３３０は、例えば、カメラやレコーダである。カメラにより、データとして画像情報を取得することができる。また、レコーダにより、データとして音声情報を取得することができる。
【００３４】  位置情報取得部３４０は、提供者端末３００の位置情報を取得するための機能を有し、たとえば、緯度・経度の情報として、取得される。位置情報取得部３４０は、たとえば、ＧＰＳ機能が用いられる。
【００３５】  提供者端末３００は、さらに、インターネット等のネットワークに接続可能な通信機器（図示せず）を含み、スマートフォン等の多機能携帯端末が、主に使用される。なお、提供者端末３００は、携帯電話もしくはスマートフォン等の携帯端末やタブレット端末により構成されてもよい。また、本発明にかかるデータ提供システム１０において、好ましくは、提供者端末３００は複数の端末を含んでいる。
従って、提供者端末３００において、入力部３１０はキーボードを使用することもでき、あるいは入力部３１０と表示部３２０との機能を備えたタッチパネル等を使用することもできる。
【００３６】  また、データ提供システム１０では、図示しないが、データ提供サーバ２００が予め処理機能として含む、逆ジオコーディング処理を利用しうる。データ提供システム１０におけるデータ提供サーバ２００は、提供者の提供者端末３００が取得した位置情報について逆ジオコーディング処理を実行して、位置情報（緯度・経度）に対応する住所又はその他の位置情報を決定することができる。
【００３７】  なお、データ提供サーバ２００は、サードパーティの逆ジオコーディングサービス４００に対し、位置情報を与えることができる。このとき、サードパーティの逆ジオコーディングサービス４００は、取得された位置情報を所在地住所に変換し、変換した所在地住所の情報をデータ提供サーバ２００の管理部２１０に送信することができる。
【００３８】  次に、本実施の形態におけるデータ提供システム１０におけるデータ提供処理の一例について説明する。
【００３９】（初期フロー）
まず、本データ提供システム１０にアクセスしたときの初期フローについて、図５および１３を用いて説明する。
データ提供システム１０にアクセスすると、図１３に示す初期画面が表示され、依頼者あるいは提供者としてのユーザを登録するための新規登録を行うか否かの選択を行う（ステップＳ１００）。新規登録を行う場合は、新規登録処理が実行され、図１４に示すユーザ登録画面が表示される（ステップＳ１０２）。一方、既に新規登録が行われている場合は、ログイン処理が行われる（ステップＳ１０４）。新規登録処理、あるいはログイン処理が行われた後、再度、ユーザ情報の設定を行うかどうかを選択することができる（ステップＳ１０６）。ユーザ情報が設定されている場合は、図１５に示すポータル画面が表示される（ステップＳ１０８）。一方、ユーザ情報を設定する場合は、ユーザ情報設定処理が実行される（ステップＳ１１０）。
【００４０】（新規登録処理）
続いて、ステップＳ１０２における新規登録処理について、図６および図１４を用いて説明する。
まず、新規ユーザとしての情報入力が行われる（ステップＳ２００）。このとき、ユーザ情報の確認を行い（ステップＳ２０２）、ユーザ情報の登録を行う場合は、図１４に示すユーザ登録画面が表示され、新規ユーザの情報として、氏名（フリガナ）、メールアドレス、ユーザＩＤ、パスワード、決済情報、ＧＰＳ、位置情報（地区情報）の登録が行われる（ステップＳ２０４）。そして、登録されたユーザＩＤが重複しているか否かの重複チェックが実行される（ステップＳ２０６）。ユーザＩＤが重複している場合は、再度新規ユーザの情報入力を行う。ユーザＩＤが重複していない場合は、続いて、メールアドレスが重複しているか否かのチェックが実行される（ステップＳ２０８）。そして、メールアドレスが重複している場合は、再度新規ユーザの情報入力を行う。メールアドレスが重複していない場合は、ステップＳ２０４において入力されたユーザ情報が、ユーザ情報ＤＢ２４２に登録される（ステップＳ２１０）。そして、ユーザ情報の設定が行われる（ステップＳ２１２）。
【００４１】（ログイン処理）
次に、ステップＳ１０４におけるログイン処理ついて、図７を用いて説明する。
まず、ユーザ情報として、ユーザＩＤとパスワードが入力される（ステップＳ３００）。そうすると、ユーザ情報ＤＢ２４２に登録されているユーザＩＤとパスワードが照会され、ユーザ情報の真偽が判定される（ステップＳ３０２）。判定の結果、登録されているユーザＩＤとパスワードが一致しない場合は、再度、ユーザ情報の入力を行う。一方、ユーザＩＤとパスワードが一致した場合は、ユーザ情報の設定を行うことができる（ステップＳ３０４）。
【００４２】（ポータル画面における処理）
続いて、ポータル画面における処理について、図８および図１５を用いて説明する。
まず、ユーザ情報の確認が行われる（ステップＳ４００）。続いて、ポータル画面上に、新着の案件情報の表示をするための処理が実行される（ステップＳ４０２）。続いて、ポータル画面上において、依頼者が案件の依頼を行うのか（ステップＳ４０４）、提供者が案件報告を行うのか（ステップＳ４０６）、あるいは、依頼者が案件報告された情報を参照するための案件参照を選択するのか（ステップＳ４０８）の選択が行われる。依頼者が案件の依頼を選択した場合は、案件登録処理が実行され（ステップＳ４１０）、提供者が案件報告を選択した場合は、案件報告の登録処理が実行され（ステップ４１２）、依頼者が、案件参照を選択した場合は、案件報告の参照処理が実行される（ステップＳ４１４）。
【００４３】（案件登録処理）
次に、依頼者端末１００を用いた案件登録処理について、図９および図１６を用いて説明する。
図１６に示す案件登録画面が表示され、案件登録情報の入力を行う（ステップＳ５００）。
案件登録の内容を確認し（ステップＳ５０２）、修正する場合は、再度、案件登録情報を入力する。一方、修正する必要がない場合は、入力された案件情報が案件情報ＤＢ２４２に登録される（ステップＳ５０４）。続いて、ユーザ情報ＤＢ２４２からユーザ情報が読み出される（ステップＳ５０６）。
続いて、案件情報に含まれる地理的情報と、読み出されたユーザ情報に含まれる位置情報とに基づいて、提供者の検索処理が行われる（ステップＳ５０８）。案件情報に含まれる地理的情報とユーザ情報に含まれる位置情報とが一致する提供者が存在しない場合は（ステップＳ５１０）、提供者の再検索処理が行われる（ステップＳ５１２）。一方、検索された結果、該当する提供者が存在した場合は、その該当する提供者に、案件情報が通知される（ステップＳ５１４）。なお、ステップＳ５１４の処理は任意に行われる処理としてもよい。
【００４４】  ここで、ステップＳ５１２における提供者の再検索処理について、説明する。
たとえば、提供者の再検索処理は、提供者端末１００で取得されたナビ情報を提供者の位置情報として取得する処理とすることができる。この場合、データ提供サーバ２００のユーザ情報管理部２１２は、提供者端末３００におけるナビ情報取得部３４０において取得された提供者端末３００のナビ情報を取得する。そのナビ情報を位置情報として利用することで、該当する提供者の範囲を広げることができる。
【００４５】  また、提供者検索手段２２０において実行される再検索処理は、過去の提供者の案件報告情報に含まれる地理的情報を提供者の位置情報として取得する処理を含むことができる。過去の提供者の位置情報を利用することで、該当する提供者の範囲を広げることができる。
【００４６】  さらに、提供者検索手段２２０において実行される再検索処理は、１以上の提供者端末１００に対して一斉に案件情報を通知する処理を含むことができる。
これにより、現在の位置情報や予め登録している位置情報（地区情報）以外に、提供者がその案件情報に含まれる地理的情報に対応できる可能性もある。そのため、その案件情報を提供者に通知することで、該当する提供者の範囲を広げることができる。
【００４７】  また、さらに、提供者検索手段２２０において実行される再検索処理は、新たに登録された案件情報について、ポータル画面を介して提供者端末１００に表示させるための案件情報を準備する処理を含むことができる。
【００４８】（案件報告の登録処理）
続いて、提供者端末３００を用いた案件報告の登録処理について、図１０および図１７を用いて説明する。
図１４に示す案件報告画面が表示され、案件報告の入力を行う（ステップＳ６００）。
案件報告の内容を確認し（ステップＳ６０２）、修正する場合は、再度、案件報告の情報を入力する。一方、修正する必要がない場合は、入力された案件報告が案件情報ＤＢ２４２に登録される（ステップＳ６０４）。続いて、登録された案件情報に関連付けされた依頼者情報が、案件情報ＤＢ２４４から読み出され、該当する依頼者端末１００に通知される（ステップＳ６０６）。
【００４９】（案件報告参照の処理）
次に、依頼者端末１００を用いた案件報告参照の処理について、図１１および図１８を用いて説明する。
まず、案件情報ＤＢ２４４から案件報告情報が読み出され、依頼者端末１００に、図１８に示す案件報告参照画面に案件報告情報のデータが表示される（ステップＳ７００）。このとき、表示されるデータには、正式なデータではなく、透かし入りのデータが表示される。
依頼者により購入意思があるかどうかの確認が行われる（ステップＳ７０２）。
続いて、図１８（ｄ）に示す画面における「購入」ボタンがクリックされると、決算手続きの処理が行われる（ステップＳ７０４）
決済手続きが完了していない場合は、再度、案件報告情報のデータが表示される。
一方、決済手続きが完了すれば（ステップＳ７０６）、案件報告決済処理が行われ（ステップＳ７０８）、該当する案件情報ＤＢ２４４に登録される案件情報に対して、案件報告の決済処理が行われる。
そして、案件報告情報として、透かし入りではない正式なデータが表示される（ステップＳ７１０）。
【００５０】（データ提供処理等）
続いて、図１２を用いて、本発明にかかるデータ提供システム１０を利用して、依頼者が、依頼者端末１００からの案件情報に基づいて、提供者端末３００より提供されるデータを取得するまでの処理等について説明する。図１２は、データ提供システム１０の動作の流れを示すシーケンスチャートを示す。
【００５１】  まず、依頼者端末１００からデータ提供サーバ２００に案件情報を送信する（ステップＳ８００）。すると、データ提供サーバ２００の案件情報管理部２１４では、案件情報が取得され、その案件情報は、案件情報ＤＢ２４４に登録される（ステップＳ８０２）。続いて、データ提供サーバ２００の提供者検索部２２０は、ユーザ情報ＤＢ２４２からユーザ情報（提供者情報）を読み出し、登録された案件情報に含まれる地理的情報とユーザ情報に含まれる位置情報とに基づいて、ユーザ（提供者）の検索処理が行われる（ステップＳ８０６）。
【００５２】  次に、提供者検索部２２０は、該当する提供者の提供者端末３００に案件情報を通知する（ステップＳ８０６）。続いて、提供者は、案件情報の内容に応じて、提供者端末３００のデータ取得部３３０によりデータ（画像や音声）を取得する（ステップＳ８０８）。そして、提供者端末３００から取得されたデータを含む案件報告情報を送信する（ステップＳ８１０）。すると、データ提供サーバ２００の案件報告管理部２１６では、案件報告情報が取得され、その案件報告情報は、案件情報ＤＢ２４４に登録される（ステップＳ８１２）。
【００５３】  次に、案件報告管理部２１６は、案件を依頼した依頼者の依頼者端末１００に案件報告情報が取得されたことを通知する（ステップＳ８１４）。続いて、依頼者により、依頼者端末１００を用いて、案件報告情報のデータの参照が行われる（ステップＳ８１６）。ここで、参照されるデータは、たとえば、透かし入りのデータである。そして、依頼者は、依頼者端末２００を用いて案件報告情報を参照しながら、データの選択し、購入するか否かの決定を行う（ステップＳ８１８）。続いて、データが購入されると、データ提供サーバ２００の決算部２３０において、決算手続きが実行される（ステップＳ８２０）。次に、データ提供サーバ２００の決算部２３０は、案件報告決算処理を実行し、案件報告の決算処理が行われたことが案件情報ＤＢ２４４の案件情報に登録される（ステップＳ８２２）。そして、データ提供サーバ２００の案件報告管理部２１６は、案件情報ＤＢ２４４からデータを読み出し、依頼者は、依頼者端末１００を用いて、購入した案件報告情報のデータを取得する（ステップＳ８２４）。ここで、取得されるデータは、たとえば、透かしなしの生のデータである。
【００５４】  なお、任意に、提供者の検索の後、その検索結果として、該当する提供者が存在することを依頼者端末１００に通知するようにしてもよい（ステップＳ９００）。
【００５５】  また、本データ提供システム１０は、依頼者端末１００および提供者端末３００が予め備えるブラウザにより実現されてもよいし、各端末（依頼者端末１００および提供者端末３００）に対してインストールされたアプリケーションにより実現するようにしてもよい。
【００５６】  図１に示すデータ提供サーバ２００によれば、提供者端末３００から、位置情報を含む提供者情報を取得し、管理するためのユーザ情報管理部２１２と、依頼者端末１００から、地理的情報を含む案件情報を取得するための案件情報管理２１４と、提供者情報に含まれる位置情報と案件情報に含まれる地理的情報とに基づいて、１以上の提供者を検索するための提供者検索部２２０と、検索された１以上の提供者から、依頼者が所望するデータを含む案件報告情報を取得する案件報告情報管理部２１６と、を備えるので、依頼者の所望する遠隔地等に存在するデータ等を、効率よく取得することができる。
【００５７】  図１に示すデータ提供サーバ２００の提供者検索部２２０が、再検索処理をする機能を有することで、提供者を検索する機会が増加することから、依頼者が所望するデータをより効率よく取得することができる。
【００５８】  図１に示すデータ提供サーバ２００によれば、ユーザ情報ＤＢ２４２に登録される位置情報として、現在の提供者端末３００から得られる位置情報を所定のサンプリングタイムで取得することと、提供者が予めデータの提供をすることができる地理的情報の範囲を予め登録することができる。そのため、提供者の位置情報を提供することなく、本データ提供システム１０を介したデータの提供に貢献することができる。
【００５９】  図１に示すデータ提供システム１０によれば、逆ジオコーディングサービス４００を利用することができるので、本データ提供サーバ２００に逆ジオコーディングサービス４００を備えていなくとも、外部の逆ジオコーディングサービス４００を利用することで、より精度のよい所在地住所のデータを利用することができる。
【００６０】  また、この発明は、前記実施の形態に限定されるものではなく、その要旨の範囲内で種々に変形される。
【００６１】  また、図１３ないし図１８に示す端末に表示される画面は例示であり、本発明の範囲内において、その構成は適宜変更されてもよい。
【産業上の利用可能性】
【００６２】  上述したように、この発明によれば、依頼者が所望する遠隔地等に存在するデータ等を、効率よく取得しうるデータ提供サーバおよびデータ提供システムを提供することができる。
【符号の説明】
【００６３】１０  データ提供システム
１００  依頼者端末
１１０  入力部
１２０  表示部
２００  データ提供サーバ
２１０  管理部
２１２  ユーザ情報管理部
２１４  案件情報管理部
２１６  案件報告情報管理部
２２０  提供者検索部
２３０  決算処理部
２４０  データベース部
２４２  ユーザ情報データベース
２４４  案件情報データベース
３００  提供者端末
３１０  入力部
３２０  表示部
３３０  データ取得部
３４０  位置情報取得部
３５０  ナビ情報取得部
４００  逆ジオコーディングサービス
【図１】
2020205020.tif 000003
【図２】
2020205020.tif 000004
【図３】
2020205020.tif 000005
【図４】
2020205020.tif 000006
【図５】
2020205020.tif 000007
【図６】
2020205020.tif 000008
【図７】
2020205020.tif 000009
【図８】
2020205020.tif 000010
【図９】
2020205020.tif 000011
【図１０】
2020205020.tif 000012
【図１１】
2020205020.tif 000013
【図１２】
2020205020.tif 000014
【図１３】
2020205020.tif 000015
【図１４】
2020205020.tif 000016
【図１５】
2020205020.tif 000017
【図１６】
2020205020.tif 000018
【図１７】
2020205020.tif 000019
【図１８】
2020205020.tif 000020